(57)【要約】【課題】より適切に２眼光学系の位置を保持できる撮像装置を提供すること。【解決手段】上記課題を解決するために、撮像装置は、第一の視点の被写体像を結像するためのレンズを備え、第一の被架橋部を有する第一のレンズユニットと、第一の視点とは異なる第二の視点の被写体像を結像するためのレンズを備え、第二の被架橋部を有する第二のレンズユニットと、第一のレンズユニットと第二のレンズユニットの、第一の被架橋部と第二の被架橋部を有する面とは他方の面の側を固定するレンズベースと、第一の被架橋部と、第二の被架橋部とを架橋する架橋部と、を備え、架橋部の一端は、第一の被架橋部と所定の余幅を設けて配置され、架橋部の他端は、第二の被架橋部と所定の余幅を設けて配置される。【選択図】図３
2015025828.tif 000002
【特許請求の範囲】
【請求項１】
第一の視点の被写体像を結像するためのレンズを備え、第一の被架橋部を有する第一のレンズユニットと、
前記第一の視点とは異なる第二の視点の被写体像を結像するためのレンズを備え、第二の被架橋部を有する第二のレンズユニットと、
前記第一のレンズユニットと前記第二のレンズユニットの、前記第一の被架橋部と前記第二の被架橋部を有する面とは他方の面の側を固定するレンズベースと、
前記第一の被架橋部と、前記第二の被架橋部とを架橋する架橋部と、を備え、
前記架橋部の一端は、前記第一の被架橋部と所定の余幅を設けて配置され、
前記架橋部の他端は、前記第二の被架橋部と所定の余幅を設けて配置される、
撮像装置。
【請求項２】
前記架橋部の一端は、前記第一の被架橋部に取り付けられた第一の緩衝部材と所定の余幅を設けて配置され、
前記架橋部の他端は、前記第二の被架橋部に取り付けられた第二の緩衝部材と所定の余幅を設けて配置される、
請求項１に記載の撮像装置。
【発明の詳細な説明】
【技術分野】
【０００１】
本発明は撮像装置に関し、２眼の光学系を有する撮像装置に関する。
【背景技術】
【０００２】
２眼の光学系を有し、３Ｄ画像を撮影可能なデジタルスチルカメラや、デジタルビデオカメラが知られている。例えば、特許文献１は、２眼式デジタルカメラを開示している。
【先行技術文献】
【特許文献】
【０００３】
【特許文献１】特開２００４−１２０５２７号公報
【発明の概要】
【発明が解決しようとする課題】
【０００４】
良好に視聴可能な３Ｄ画像を得るためには、非常に精度の高い調整が要求される。例えば、２眼光学系の垂直ずれや、輻輳角の調整が要求される。一方、２眼撮像装置の使用にあたって、ユーザの不注意により落下させてしまったり、不意な衝撃が加わってしまったりすることがある。このような場合においても、精度高く調整されている２眼光学系に対して、ズレが発生してしまうことを回避できることが望ましい。
【０００５】
本発明は上記課題を鑑みてなされたものであり、より適切に２眼光学系の位置を保持できる撮像装置を提供することを目的とする。
【課題を解決するための手段】
【０００６】
上記課題を解決するために、本発明にかかる撮像装置は、第一の視点の被写体像を結像するためのレンズを備え、第一の被架橋部を有する第一のレンズユニットと、第一の視点とは異なる第二の視点の被写体像を結像するためのレンズを備え、第二の被架橋部を有する第二のレンズユニットと、第一のレンズユニットと第二のレンズユニットの、第一の被架橋部と第二の被架橋部を有する面とは他方の面の側を固定するレンズベースと、第一の被架橋部と、第二の被架橋部とを架橋する架橋部と、を備え、架橋部の一端は、第一の被架橋部と所定の余幅を設けて配置され、架橋部の他端は、第二の被架橋部と所定の余幅を設けて配置される。
【０００７】
また、好ましくは、架橋部の一端は、第一の被架橋部に取り付けられた第一の緩衝部材と所定の余幅を設けて配置され、架橋部の他端は、第二の被架橋部に取り付けられた第二の緩衝部材と所定の余幅を設けて配置される。
【発明の効果】
【０００８】
本発明によれば、より適切に２眼光学系の位置を保持できる撮像装置を提供することができる。
【図面の簡単な説明】
【０００９】
【図１】ムービーカメラ１００の全体斜視図
【図２】ムービーカメラ１００のレンズユニットを露出させた全体斜視図
【図３】レンズフレーム２００に組み込まれたレンズユニット１９０の全体斜視図
【図４】レンズフレーム２００に組み込まれたレンズユニット１９０の裏側から見た全体斜視図
【図５】レンズフレーム２００と、レンズユニット１９０と、レンズスタビライザー２１０とを裏側から見た分解した斜視図
【図６】レンズフレーム２００と、レンズユニット１９０と、レンズスタビライザー２１０とを分解した斜視図
【図７】レンズユニット１９０の架橋部を説明するための図
【発明を実施するための形態】
【００１０】
〔実施の形態１〕
〔１．ムービーカメラの全体構成〕
図１を用いて、実施の形態１にかかるムービーカメラ１００の全体構成の概略を説明する。図１は、ムービーカメラ１００の全体図である。
【００１１】
実施の形態１に係るムービーカメラ１００は、レンズ部１１０と、カメラボディ部１２０と、ハンドル部１３０と、マニュアルリング部１４０から構成されている。レンズ部１１０は、複数枚のレンズで構成されるレンズユニット１９０を備えている。マニュアルリング部１４０は、マニュアルズームリング、マニュアルフォーカスリング、マニュアルアイリスリングを備えている。カメラボディ部１２０は、レンズ部１１０の光学系を介して得られる被写体像を撮像するイメージセンサと、撮像センサの出力を画像処理する画像処理エンジンと、カメラボディの各部を制御するコントローラと、画像処理エンジンが出力する画像ファイルを記録可能なメモリカードを装着するカードスロットと、ムービーカメラ１００の各種機能を操作する操作部と、ムービーカメラ１００の各部に電源供給するバッテリなどを有する。ハンドル部１３０は、カメラボディ部１２０上部に有し、使用者が撮影のときに把持する部分である。
【００１２】
〔２．２眼レンズユニット１９０の構成〕
続いて、２眼レンズユニット１９０の構成を説明する。
【００１３】
図２は、ムービーカメラ１００のレンズユニットを露出させた全体斜視図である。図２に示すように、レンズ部１１０は、レンズユニット１９０と、レンズユニット１９０を覆うレンズフード１５０、レンズマスク１６０、レンズカバーＲ１７０，レンズカバーＬ１８０とから構成されている。レンズマスク１６０、レンズカバーＲ１７０，レンズカバーＬ１８０は、レンズユニット１９０に対して密着させた状態ではなく、ある程度の空間を設けた状態にて、レンズユニット１９０を覆っている。これにより、レンズ部１１０に外力が加わったとしても、その衝撃をレンズマスク１６０、レンズカバーＲ１７０，レンズカバーＬ１８０で吸収することができ、レンズユニット１９０を保護することができる。また、レンズフード１５０は、エラストマーなどの、プラスティックにより構成される通常の外装材料よりも弾性のある材料により構成されている。これにより、レンズ部１１０の正面から外力が加わったとしても、レンズフード１５０でその衝撃を吸収し、レンズユニット１９０を保護することができる。
【００１４】
図３は、レンズフレーム２００に組み込まれたレンズユニット１９０の全体斜視図である。ムービーカメラ１００の外装部材を取り払うと、図３に示すように、レンズユニット１９０とレンズフレーム２００とレンズスタビライザー２１０とが一体に組み合わされたユニットが露出する。
【００１５】
図３に示すように、レンズユニット１９０は、レンズＲ２２０と、レンズＬ２３０とから構成されている。レンズＲ２２０は、右眼用の被写体像を結像するための光学系を含んでおり、フォーカスレンズや、ズームレンズなどから構成されている。同じく、レンズＬ２３０は、左眼用の被写体像を結像するための光学系を含んでおり、フォーカスレンズや、ズームレンズなどから構成されている。
【００１６】
レンズユニット１９０は、レンズフレーム２００と組み合わせるとき、レンズスタビライザー２１０によって、レンズＲ２２０とレンズＬ２３０とが固定される。レンズスタビライザー２１０は、ダンパーゴムＲ２８０および、ダンパーゴムＬ２９０を介して、レンズ２２０とレンズＬ２３０とを固定する。
【００１７】
また、レンズスタビライザー２１０は、アーム２１１と、アーム２１２と、アーム２１３とから構成される。アーム２１１は、レンズＲ２２０とレンズＬ２３０とを架橋するアームである。アーム２１２およびアーム２１３は、互いに垂直方向に伸長しており、かつアーム２１１の伸長する方向に対して垂直方向に伸長するアームである。レンズスタビライザー２１０は、アーム２１２が係合部Ｒ２４０と係合し、アーム２１３が係合部Ｆ２５０と係合して、レンズフレーム２００と固定される。
【００１８】
また、スタビライザー２１０は、例えばステンレスなど、ある程度の剛性と弾性を有する材料によって構成されている。これにより、ムービーカメラ１００の落下等によりスタビライザー２１０が撓っても、元の位置に戻るような強度を確保することができる。
【００１９】
２眼３Ｄ撮影において、マクロ撮影を行うためには、レンズＲ２２０とレンズＬ２３０との距離が近い方が望ましい。レンズスタビライザー２１０のアーム２１３は、レンズＲ２２０とレンズＬ２３０の間に位置する。そこで、レンズＲ２２０とレンズＬ２３０のとの距離を極力近づかせるために、アーム２１３は、内側に括れた切りかきをレンズＲ２２０およびレンズＬ２３０に対向する両側に有している。内側に括れた切りかきを形成すると、アーム２１３の中心部が細くなり、強度が低下してしまう。そのため、アーム２１３は、周辺部よりも厚みを有するビーディングＦ２７０を形成しており、この強度低下を補強している。同じく、アーム２１１およびアーム２１２においても、それらの交差点にてＴ字となるようにビーディングＴ２６０が形成されている。これにより、レンズスタビライザー２１０に外力が加わったときの弾性変形に対する強度が確保されている。
【００２０】
図４は、レンズフレーム２００に組み込まれたレンズユニット１９０の裏側から見た全体斜視図である。ムービーカメラ１００の外装部材を取り払うと、図４に示すように、レンズユニット１９０とレンズフレーム２００とレンズスタビライザー２１０とが一体に組み合わされたユニットが露出する。
【００２１】
図４に示すように、レンズユニット１９０を構成するレンズＲ２２０および、レンズＬ２３０はともに、レンズベース３００に固定されている。レンズベース３００は、厚みのある一枚金属板であり、ステンレスのように剛性のある材料により構成されている。レンズベース３００は、レンズＲ２２０およびレンズＬ２３０の調整位置を維持するために、極力弾性を持たず剛性が強いことが望ましい。レンズＲ２２０は、レンズベース３００に対して、下面の３箇所で強くビス留めされている。同じく、レンズＬ２３０は、レンズベース３００に対して、下面の３箇所で強くビス留めされている。これにより、レンズＲ２２０および、レンズＬ２３０の下面はレンズベース３００に対して、ずれてしまうことを回避することができる。
【００２２】
続いて、レンズユニット１９０の下面の固定の詳細について説明する。図５は、レンズフレーム２００と、レンズユニット１９０と、レンズスタビライザー２１０とを裏側から見た分解した斜視図である。
【００２３】
上述したように、レンズユニット１９０を構成するレンズＲ２２０およびレンズＬ２３０は、一枚金属板であるレンズベース３００に強く固定されている。レンズベース３００の下面の４隅の４箇所にはベースダンパー取り付けピン３４０が配置されている。一方、レンズフレーム２００のレンズユニット取り付け部２０２には、４箇所のベースダンパー取り付け穴が設けられている。レンズベース３００に配置された４箇所のベースダンパー取り付けピン３４０は、レンズベースダンパー３１０を介して、それぞれ対応するベースダンパー取り付け穴３５０に嵌合する。
【００２４】
レンズベース３００を、レンズベースダンパー３１０を介してレンズフレーム２００に固定することにより、ムービーカメラ１００に衝撃が加わったとしても、ダンパーによりその衝撃を吸収し、レンズフレーム２００に対するレンズベース３００の位置を維持させることができる。また、レンズＲ２２０およびレンズＬ２３０のレンズ駆動に起因する振動を、レンズベースダンパー３１０により吸収し、レンズフレーム２００にレンズ駆動に起因する振動が伝導してしまうのを回避することができる。従って、これにより、マイクにより集音する際に、レンズ駆動振動による雑音を防止することができる。
【００２５】
図６は、レンズフレーム２００と、レンズユニット１９０と、レンズスタビライザー２１０とを分解した斜視図である。
【００２６】
図６に示すように、レンズフレーム２００は、レンズ取り付けサポート部２０１と、レンズユニット取り付け部２０２とを有している。レンズ取り付けサポート部２０１は、レンズＲ２２０およびレンズＬ２３０の間の空間に余裕を持って挿入できるよう形成されている。レンズユニット取り付け部２０２は、レンズユニット１９０をレンズベース３００を介して取り付ける土台である。レンズ取り付けサポート部２０１と、レンズユニット取り付け部２０２とは、直接フレーム等により連結されておらず、空間が存在する。そのため、レンズフレーム２００に対して、上方から又は下方からの衝撃が加わった場合、レンズ取り付けサポート部２０１と、レンズユニット取り付け部２０２との間の空間を狭める方向に撓む恐れがある。そこで、この撓みに対する強度を補強するために、レンズスタビライザー２１０は、係合部Ｒ２４０を介してレンズ取り付けサポート部２０１と、係合部Ｆ２５０を介してレンズユニット取り付け部２０２と連結されている。レンズスタビライザー２１０が、レンズ取り付けサポート部２０１と、レンズユニット取り付け部２０２とを連結することで、上下方向の衝撃に対する強度を補強することができる。
【００２７】
また、レンズスタビライザー２１０のアーム２１２の下面と、レンズ取り付けサポート部２０１の上面とは、互いに接触した状態で固定される。このとき、アーム２１２は、先端に位置する穴と、アーム２１３へと折れ曲がる直前に位置する穴の２箇所にて、レンズ取り付けサポート部２０１に有するピンで位置決めされる。そして、レンズスタビライザー２１０は、アーム２１３に有するビス孔を介して、レンズ取り付けサポート部２０１の前面および、レンズユニット取り付け部２０２の前面とビス留めされる。これにより、位置決めされたアーム２１２についても、レンズフレーム２００に対して固定された状態となり、衝撃に対して安定した強度補強を行なうことができる。更に、アーム２１２の長さを、レンズ取り付けサポート部２０１の長さに合わせて、長めに設けておくことで、衝撃に対してより安定した強度補強を行なうことができる。
【００２８】
図６に示すように、レンズスタビライザー２１０は、取り付け穴Ｌ３２０と、取り付け穴Ｒ３２０とを有している。一方、レンズユニット１９０において、レンズＲ２２０の上面にはダンパー取り付けピンＲ３５０が配置されており、レンズＬ２３０の上面にはダンパー取り付けピンＬ３５０が配置されている。レンズＲ２２０のダンパー取り付けピンＲ３５０は、ダンパーゴムＲ２８０を介して、取り付け穴３３０と嵌合する。同様に、レンズＬ２３０のダンパー取り付けピンＬ３４０は、ダンパーゴムＬ２９０を介して、取り付け穴Ｌ３２０と嵌合する。すなわち、レンズＲ２２０と、レンズＬ２３０とはアーム２１１を介して架橋される。
【００２９】
続いて、レンズユニット１９０のレンズＲ２２０とレンズＬ２３０とを架橋するアーム２１１の詳細について図７を用いて説明する。図７は、レンズユニット１９０の架橋部を説明するための図である。
【００３０】
図７に示すように、レンズＬ２３０のダンパー取り付けピンＬ３４０は、ダンパーゴムＬ２９０を介して、一定量のクリアランスＬ３６０を設けて、取り付け穴Ｌ３２０と嵌合する。図示していないが同様に、レンズＲ２２０のダンパー取り付けピンＲ３５０は、ダンパーゴムＲ２８０を介して、一定量のクリアランスＲ３７０を設けて、取り付け穴３３０と嵌合する。スタビライザー２１０で直接レンズユニット１９０を架橋するのではなく、ダンパーゴムを介して架橋する。これにより、衝撃があってもダンパーゴムにて吸収することができる。
【００３１】
ここで、クリアランスＬ３６０および、クリアランスＲ３７０を設ける意義について説明する。視聴に良好な３Ｄ画像を撮影するためには、２眼であるレンズユニット１９０を構成するレンズＲ２２０と、レンズＬ２３０の位置調整が極めて重要であり、高い精度が要求される。位置調整としては、レンズＲ２２０と、レンズＬ２３０の垂直ズレがないようにする位置調整や、輻輳角を決めるための位置調整などがある。このとき、クリアランスＬ３６０および、クリアランスＲ３７０を設けずに、レンズＲ２２０と、レンズＬ２３０とを架橋した場合、高い精度で位置調整を行なったレンズＲ２２０およびレンズＬ２３０に対して、強い負荷をかけて架橋させる必要があるために位置がずれてしまう恐れがある。一方、レンズＲ２２０と、レンズＬ２３０とを架橋しなかった場合、ムービーカメラ１００が落下や衝撃を受けたときに、レンズＲ２２０およびレンズＬ２３０のレンズ径の大きさと、レンズの重さとに起因して、レンズベース３００に対して回転モーメントが発生し、レンズＲ２２０およびレンズＬ２３０とレンズベース３００との取付け部の塑性変形や取付けずれを起こし、高い精度で合わせた位置がずれてしまう恐れがある。
【００３２】
そこで、実施の形態にかかるムービーカメラ１００においては、一定量のクリアランスＬ３６０および、クリアランスＲ３７０を設けて、レンズＲ２２０とレンズＬ２３０とを架橋する。これにより、レンズＲ２２０とＬ２３０とを強い負荷をかけて架橋させなくても、余裕をもって架橋させることができる。その結果、高い精度で調整されたレンズ位置がずれるのを回避することができる。
【００３３】
また、クリアランスＬ３６０およびクリアランスＲ３７０は、レンズユニット１９０自体の個体差や、レンズユニットの組み立て時の微小な取り付け差を吸収する大きさであることが望ましい。一方、クリアランスＬ３６０およびクリアランスＲ３７０が大きすぎると、組み立て時や、衝撃によりずれてしまう恐れがある。そこで、クリアランスＬ３６０およびクリアランスＲ３７０は、視聴に良好な３Ｄ画像を撮影するために許容できるズレの範囲内にて大きさが規定されていることが望ましい。
【００３４】
上記では、レンズＲ２２０と、レンズＬ２３０の前面側先端部にて、両レンズを架橋するようにしたが、これに限定されない。好ましくは、レンズＲ２２０と、レンズＬ２３０の重心位置にて架橋するようにしてもよい。これにより、より衝撃に耐えられる架橋を行なうことができる。
【産業上の利用可能性】
【００３５】
本発明はムービーカメラ１００への実施に限定されない。すなわち、デジタルスチルカメラなど、２眼レンズを備えた撮像装置に本発明は適用可能である。
【符号の説明】
【００３６】
１００    ムービーカメラ
１１０    レンズ部
１２０    カメラボディ部
１３０    ハンドル部
１４０    マニュアルリング部
１９０    レンズユニット
２１０    レンズスタビライザー
２２０    レンズＲ
２３０    レンズＬ
【図１】
2015025828.tif 000003
【図２】
2015025828.tif 000004
【図３】
2015025828.tif 000005
【図４】
2015025828.tif 000006
【図５】
2015025828.tif 000007
【図６】
2015025828.tif 000008
【図７】
2015025828.tif 000009